(57)【要約】      （修正有）【課題】簡易であると同時に信頼性の高い固定手段を介して底板に固定した腕時計の文字盤を提供する。【解決手段】腕時計の文字盤１および底板２を備えるアセンブリであって、底板２は、上周縁４によって境界が定められ、この上周縁４から下に向かって外周面６が延び、腕時計の文字盤１は、少なくとも第１および第２の固定手段を介して底板２の上周縁４に固定されるアセンブリにおいて、第１の固定手段は、底板２の外周面６に設けたボス１８を備え、文字盤１は、周端部１０を有し、この周端部１０を介して文字盤１は、釘またはネジ１２の頭部１４と底板２の上周縁４との間に保持され、釘またはネジ１２の頭部１４からは軸部１６が延び、この軸部１６は、底板２のボス１８内に収容される。【選択図】図１
2014021110.tif 000002
【特許請求の範囲】
【請求項１】
腕時計の文字盤（１）および底板（２）を備えるアセンブリであって、前記底板（２）は、上周縁（４）によって境界が定められ、前記上周縁から下に向かって外周面（６）が延び、前記腕時計の文字盤（１）は、少なくとも第１および第２の固定手段を介して前記底板（２）の前記上周縁（４）に固定される前記アセンブリにおいて、前記第１の固定手段は、前記底板（２）の前記外周面（６）に一体に設けたボス（１８）を備え、前記文字盤（１）は、周端部（１０）を有し、該周端部を介して前記文字盤は、鋲またはねじ（１２；２２）の頭部（１４；２４）と前記底板（２）の前記上周縁（４）との間に保持され、前記鋲またはねじ（１２；２２）の前記頭部（１４；２４）からは軸部（１６；２６）が延び、該軸部は、前記底板（２）の前記ボス（１８）に固定されることを特徴とする、アセンブリ。
【請求項２】
前記第２の固定手段は、前記底板（２）の前記上周縁（４）に設けたスロット（８）を備え、前記文字盤（１）の前記周端部（１０）は、前記底板（２）の前記スロット（８）内に収容されることを特徴とする、請求項１に記載のアセンブリ。
【請求項３】
前記第２の固定手段は、前記底板（２）の前記外周面（６）に設けた第２のボス（１８）を備え、第２の鋲または第２のねじ（２２；１２）は、前記頭部（２４；１４）を介して前記文字盤（１）の前記周端部（１０）を前記底板（２）の前記上周縁（４）に当接させて保持し、前記第２の鋲または前記第２のねじ（２２；１２）の前記頭部（２４；１４）からは軸部（２６、１６）が延び、該軸部は、前記底板（２）の前記第２のボス（１８）に圧入されることを特徴とする、請求項１に記載のアセンブリ。
【請求項４】
前記文字盤（１）は、フランジ（３６）と前記底板（２）との間に配置され、前記鋲または前記ねじ（２２；１２）は、前記フランジ（３６）の中に打ち込まれる、または前記フランジ（３６）の中で締められ、前記フランジ（３６）を前記頭部（２４；１４）と前記軸部（２６；１６）との間に挟み、前記軸部は、前記底板（２）の前記ボス（１８）に圧入されることを特徴とする、請求項１から３のうちいずれか一項に記載のアセンブリ。
【請求項５】
前記文字盤（１）は、フランジ（３６）と前記底板（２）との間に配置され、少なくとも１つの固定用脚部（３８）が、前記フランジ（３６）と一体に形成され、これに対応する前記底板（２）の前記ボス（１８）に圧入されることを特徴とする、請求項１から３のうちいずれか一項に記載のアセンブリ。
【請求項６】
前記底板（２）は、前記上周縁（４）に少なくとも１つのセンタリング用スタッド（２８）を備え、前記文字盤（１）の周面には、前記センタリング用スタッド（２８）と協働するように設けたノッチ（３０）を備えていることを特徴とする、請求項１から５のうちいずれか一項に記載のアセンブリ。
【発明の詳細な説明】
【技術分野】
【０００１】
本発明は、底板に固定した腕時計の文字盤に関する。さらに詳細には、本発明は、固定手段を介して底板に固定した文字盤に関する。
【背景技術】
【０００２】
腕時計の文字盤を底板に保持するために使用される従来の技術は、文字盤に文字盤の脚を設け、この脚に対応する文字盤のキーを用いてこの脚をロックすることからなる技術である。この技術の欠点の１つは、文字盤の脚が脆弱であり、衝撃を受けた場合に簡単に破損するおそれがある点である。文字盤の脚自体を修理することはできないため、文字盤全体を取り換えなければならないが、これは予備部品として入手可能な場合に限られ、常時このように予備があるわけではない。
【発明の概要】
【発明が解決しようとする課題】
【０００３】
簡易であると同時に信頼性の高い新規な固定手段を介して底板に固定した腕時計の文字盤を提供することで、その他の欠点に加えて上記の欠点を克服することが、本発明の目的である。
【課題を解決するための手段】
【０００４】
したがって、本発明は、腕時計の文字盤および底板を備えるアセンブリであって、底板は、上周縁によって境界が定められ、この上周縁から下に向かって外周面が延び、腕時計の文字盤は、少なくとも第１および第２の固定手段を介して底板の上周縁に固定される前記アセンブリにおいて、第１の固定手段は、底板の外周上に設けたボスを備え、文字盤は、周端部を有し、この周端部を介して文字盤は、鋲またはねじの頭部と底板の上周縁との間に保持され、鋲またはねじの頭部からはねじ部が延び、このねじ部は、底板のボス内に固定されることを特徴とする、アセンブリに関する。
【０００５】
これらの特徴の結果、本発明は、腕時計の文字盤および底板を備えるアセンブリであって、文字盤の周端部は、鋲の頭部またはねじの頭部と底板の上周縁との間に保持され、鋲またはねじの頭部は、底板の外周に一体に設けたボス内に受容されるアセンブリを提供する。そのため、文字盤は、単純で信頼性があり、極めて経済的な手段を使用して不動にされる。底板がプラスチック材料でできている場合、底板の外周に設けたボスは、プラスチック成形または射出成形によって極めて容易に得ることができる。
【０００６】
本発明の第１の変形例によれば、第２の固定手段は、底板の上周縁に設けたスロットを備え、文字盤は、文字盤の周端部を介して底板のスロット内に収容される。
【０００７】
第２の変形例によれば、第２の固定手段は、底板の外周に設けた第２のボスを備え、第２の鋲の頭部または第２のねじの頭部は、文字盤の周端部を底板の上周縁に当接させて保持し、第２の鋲の頭部または第２のねじの頭部からは軸部が延び、この軸部は、底板の第２のボス内に固定される。
【０００８】
本発明の補足的特徴によれば、文字盤は、フランジと底板との間に配置され、鋲またはねじは、フランジの中に打ち込まれるか、またはフランジの中で締められ、フランジを頭部と軸部との間に挟み、軸部は、底板のボス内に固定される。
【０００９】
本発明のさらに他の１つの特徴によれば、底板の上周縁は、少なくとも１つのセンタリング用スタッドを備え、文字盤の周端部は、センタリング用スタッドと協働するように配置したノッチを備える。
【００１０】
本発明のその他の特徴は、本発明による文字盤および底板の１つの実施形態についての以下の詳細説明からさらに明らかになり、この例は、添付の図面を参照して非限定的な説明のみを用いて引用するものである。
【図面の簡単な説明】
【００１１】
【図１】図１は、本発明の第１の実施形態の斜視図であり、文字盤が、底板に配置したスロット内の第１の点およびねじを介した第２の点に保持されている図である。
【図２】図２は、図１に示した文字盤および底板が形成するアセンブリの上面図である。
【図３Ａ】図３Ａは、図２の線Ａ−Ａに沿った断面図である。
【図３Ｂ】図３Ｂは、図２の線Ｂ−Ｂに沿った断面図である。
【図３Ｃ】図３Ｃは、図２の線Ｃ−Ｃに沿った断面図である。
【図４】図４は、本発明の第２の実施形態の斜視図であり、文字盤の周端部が３つの鋲の頭部と底板の上周縁との間に保持され、鋲の軸部が底板の外周に配置したボス内に受容されている図である。
【図５】図５は、図４の文字盤および底板が形成するアセンブリの上面図である。
【図６Ａ】図６Ａは、図５の線Ａ−Ａに沿った断面図である。
【図６Ｂ】図６Ｂは、図５の線Ｂ−Ｂに沿った断面図である。
【図７】図７は、本発明の第３の実施形態の概略的斜視図であり、文字盤がフランジと底板の上周縁との間に配置され、鋲がフランジの中に打ち込まれ、フランジをその頭部と軸部との間に挟み、軸部がこれと合致する底板のボス内に圧入されている図である。
【図８】図８は、本発明の一変形例の概略図であり、フランジと一体化し、合致する底板のボス内に収容される固定脚が、文字盤をフランジと底板との間に挟んでいる図である。
【発明を実施するための形態】
【００１２】
本発明は、鋲またはねじを用いて腕時計の文字盤を底板に固定することからなる、全体的に発明性のある案から生じたものである。この固定手段は、簡易であるがために経済的な手段であると同時に、文字盤を完全に信頼性のある方法で不動にするものである。本発明の他の１つの利点によれば、文字盤は、鋲の頭部またはねじの頭部と底板の上周縁との間に単純に保持されるため、修正される必要がない。唯一の特殊な構成は、ねじ頭部と同数のボスを外周に設けなければならない底板に関する。しかし、特に底板が射出成形または成形プラスチック材料でできている場合に、これが重大な問題を引き起こすことはない。実際この場合、金型には、単純にボスと合致するキャビティを設ける必要があるだけである。
【００１３】
本発明の第１の実施形態を図１から図３に示す。全体を通して一般的な参照番号１で示した文字盤は、例えば金属シートまたはプラスチックシートから得られる。図１の例では、文字盤１および底板２はいずれも全体的に円形である。しかしながら、本発明は、この立体形状に限定されず、文字盤１および底板２はどのような形状でもよく、例えば正方形または長方形などでもよいことは明らかであろう。
【００１４】
底板２は、全体的に略リング形状である。底板は、上周縁４によって上部の境界が定められ、この上周縁に文字盤１が支持され、この上周縁から底に向かって外周面６が延びている。
【００１５】
図１を見ればわかるように、底板２の上周縁４の一箇所には、図３Ｂに示す突子と穴とからなる円弧部のスロット８が設けられ、このスロットの中に文字盤１の周端部１０がスライドして係入する。そのため、スロット８は、垂直方向および周方向に対する第１の保持点になり、この保持点で文字盤１は、底板２上に係止される。
【００１６】
本発明によれば、文字盤１は、少なくとも第２の点で底板２に保持される。したがって、頭部１４を備え、この頭部からねじ部１６が延びているねじ１２が使用される。次に、文字盤１は、文字盤の周端部１０の一箇所で、ねじ１２の頭部１４と底板２の上周縁４との間で保持される。そのため、ねじ１２は、第２の保持点になり、この保持点で文字盤１は、文字盤１の平面に対して直角な垂直方向と半径方向との両方で底板２に保持される。ねじ１２をねじ止めするために底板２の外周面６には、ねじ１２のねじ部１６がねじ込まれるボスが設けられている。このボス１８は、底板２と一体に形成され、底板２の外周面６に局所的に設けられ、ねじ１２を締め付けることができるのに十分な大きさを有する。底板２がプラスチック材料でできている場合、ボス１８は、プラスチック成形または射出成形によって極めて簡単に得ることができる。図示した例では、センタリング用支柱２０がボス１８上に一体に設けられている。このセンタリング用支柱２０は、文字盤１の前記周端部１０の対称位置に設けた係合部に係合するものであり、底板２の上周縁４の面上に隆起し、ねじ１２の誘導を向上するために設けられる。特に図２を見ればわかるように、ねじ１２は１２時の位置に設けられ、スロット８は６時の位置に設けられている。ねじ１２およびスロット８は、文字盤１を完全に底板２に保持するため、他には一切保持手段を必要としない。例えば、９時の位置では（図３Ｃを参照）、文字盤１は、単純に底板２に当接しているだけである。
【００１７】
上記の説明文では、ボス１８は１つしかなく、このボスがこれに対応するねじ１２の受座として作用するようになっている。言うまでもなく、本発明は、この実施例に限定されず、複数のボスおよびこれに対応するねじが設けられていてもよい。同じように、文字盤１は、１つまたは複数のねじを用いて固定するものとして記載した。これらのねじは、鋲など、ボスに固定されるその他の固定手段で代用されてもよいことは明らかである。
【００１８】
図４は、本発明の他の変形例を示し、この変形例では、文字盤１は、少なくとも２つまたは図示した例では３つの鋲２２を用いて底板２に固定される。これに対応するボス１８は、底板２の外周面６に、例えば互いに規則的に間隔をあけて設けられる。１２時の位置に設けられた鋲２２（図６Ａ）は、４時の位置に設けられた鋲２２（図６Ｂ）よりも外径が大きい頭部２４を有し、これらの鋲の頭部からは軸部２６が延びている。
【００１９】
文字盤１の方向付けをさらに改良するために、底板２の上周縁４に少なくとも１つのセンタリング用スタッド２８を備え、文字盤１の周面には、前記センタリング用スタッド２８と協働するように配置したノッチ３０を備えている。最後に、文字盤１を適切に方向付けるために、底板２の上周縁４に設けたラグ３２などの組み付けミス防止用素子を例えば６時の位置に設け、文字盤１の周端部１０に設けた前記ラグ３２に対応する凹部３４内に係入させる。
【００２０】
図７は、他の変形例を示し、この変形例では、文字盤１は、フランジ３６と底板２の上周縁４との間に挟まれる。フランジ３６で形成されるアセンブリを保持するために、文字盤１、底板２および鋲２２は、フランジ３６に打ち込まれた鋲２２の軸部２６を底板２の外周面６に設けたボス１８に固定される。このため、フランジ３６は、鋲２２の頭部２４と底板２の上周縁４との間に保持され、文字盤１を保持する。鋲の代わりに、ねじを設けてもよく、このねじは、フランジ３６を挿通し底板２のボス１８にねじ込まれることによって文字盤１を締め付ける。
【００２１】
図８は、本発明のさらに他の変形例を示し、この変形例では、固定用脚部３８がフランジ３６と一体に形成されており、この固定用脚部３８を、これに対応する底板２のボス１８に圧入することによって、文字盤１をフランジ３６と底板２との間に挟み込む。
【図１】
2014021110.tif 000003
【図２】
2014021110.tif 000004
【図３Ａ】
2014021110.tif 000005
【図３Ｂ】
2014021110.tif 000006
【図３Ｃ】
2014021110.tif 000007
【図４】
2014021110.tif 000008
【図５】
2014021110.tif 000009
【図６Ａ】
2014021110.tif 000010
【図６Ｂ】
2014021110.tif 000011
【図７】
2014021110.tif 000012
【図８】
2014021110.tif 000013